(57)【要約】【課題】容器本体のねじ部を省略することを前提とし、液体化粧料が漏れ出たり、液体化粧料に含まれる揮発性物質が蒸散して液体化粧料が変性することがなく、口部材と扱き体に必要とされる機能を十分発揮できるようにした液体化粧料の収納容器を提供すること。【解決手段】金属製の容器本体１と、合成樹脂製の口部材２及び扱き体３と、口部材２を介して容器本体１に装着される蓋４と、蓋４に一体に取り付けられた塗布部材６を備えた塗布軸５とからなり、容器本体１の開口部１１に、柔軟な材質の合成樹脂で形成した、鍔部３２を備えた扱き体３を装着し、扱き体３を介して合成樹脂製の口部材２を容器本体１に形成されたアンダーカット部１３に嵌着するとともに、容器本体１及び口部材２の対向する面に形成した軸方向の突条部１４、２５を嵌合させる。【選択図】図１
0003151193.tif 000002
【実用新案登録請求の範囲】
【請求項１】
金属製の容器本体と、合成樹脂製の口部材及び扱き体と、該口部材を介して容器本体に装着される蓋と、該蓋に一体に取り付けられた塗布部材を備えた塗布軸とからなる液体化粧料の収納容器において、前記容器本体の開口部に、柔軟な材質の合成樹脂で形成した、鍔部を備えた扱き体を装着し、該扱き体を介して合成樹脂製の口部材を容器本体に形成されたアンダーカット部に嵌着するとともに、容器本体及び口部材の対向する面に形成した軸方向の突条部を嵌合させてなることを特徴とする液体化粧料の収納容器。
【請求項２】
口部材に設けたインナーリング、アウターリング及びインナーリングとアウターリング間に形成された水平面によって、容器本体の開口部及び扱き体を、軸方向及び周方向で挟持するようにしたことを特徴とする請求項１記載の液体化粧料の収納容器。
【請求項３】
金属製の容器本体が、平均肉厚が０．２〜０．４ｍｍのアルミニウム又はアルミニウム合金製のインパクト成形されたものからなることを特徴とする請求項１又は２記載の液体化粧料の収納容器。
【請求項４】
口部材を、ポリオレフィン系樹脂で形成してなることを特徴とする請求項１、２又は３記載の液体化粧料の収納容器。
【請求項５】
扱き体を、ＮＢＲで形成してなることを特徴とする請求項１、２、３又は４記載の液体化粧料の収納容器。
【考案の詳細な説明】
【技術分野】
【０００１】
本考案は、液体化粧料の収納容器に関するものであって、特に、マスカラ、アイライナー、マニキュア等の液体化粧料の収納容器に関するものである。
【背景技術】
【０００２】
従来、マスカラ、アイライナー、マニキュア等の液体化粧料の収納容器として、金属製の容器本体と、合成樹脂製の扱き体を備えた口部材と、該容器本体に形成されたねじ部に装着される蓋と、該蓋に一体に取り付けられた塗布部材を備えた塗布軸とからなる液体化粧料の収納容器が提案されている（例えば、特許文献１参照）。
【０００３】
また、容器本体のねじ部を省略した液体化粧料の収納容器として、金属製の容器本体と、合成樹脂製の扱き体を備えた口部材と、該口部材を介して容器本体に装着される蓋と、該蓋に一体に取り付けられた塗布部材を備えた塗布軸とからなる液体化粧料の収納容器が提案されている（例えば、特許文献２参照）。
【先行技術文献】
【特許文献】
【０００４】
【特許文献１】特開２００４−１７３７６６号公報
【特許文献２】特開２００３−１９９６１５号公報
【０００５】
ところで、特許文献１に記載された液体化粧料の収納容器において、金属製の容器本体にねじ部を形成することは、成形装置及び成形工程が複雑になり、コストの上昇要因になるという問題があった。
【０００６】
また、特許文献２に記載された液体化粧料の収納容器において、口部材は、口部材と容器本体の隙間及び口部材と蓋の隙間から液体化粧料が漏れることを防止する機能と、口部材に備えられた扱き体によって塗布部材を備えた塗布軸に付着した余分な液体化粧料を扱き取る機能を発揮するものであるが、口部材に扱き体が一体に形成されているため、以下の問題点が存在した。
（１）口部材に蓋を装着するために、口部材はある程度剛性のある材質で形成する必要があるが、この場合、容器本体、特に、成形精度を高めることが困難で、また、肉厚が薄く変形しやすい金属製の容器本体と口部材との間のシール性が悪く、液体化粧料が漏れ出たり、液体化粧料に含まれる揮発性物質が蒸散して液体化粧料が変性しやすい。
（２）口部材に蓋を装着するためにある程度剛性のある材質で形成する必要がある口部材と、塗布部材を備えた塗布軸に付着した余分な液体化粧料を扱き取るために柔軟性のある材質で形成する必要がある扱き体とは、必要とされる機能の点で両立しにくい。
【考案の概要】
【考案が解決しようとする課題】
【０００７】
本考案は、上記従来の液体化粧料の収納容器の有する問題点に鑑み、容器本体のねじ部を省略することを前提とし、液体化粧料が漏れ出たり、液体化粧料に含まれる揮発性物質が蒸散して液体化粧料が変性することがなく、口部材と扱き体に必要とされる機能を十分発揮できるようにした液体化粧料の収納容器を提供することを目的とする。
【課題を解決するための手段】
【０００８】
上記目的を達成するため、本考案の液体化粧料の収納容器は、金属製の容器本体と、合成樹脂製の口部材及び扱き体と、該口部材を介して容器本体に装着される蓋と、該蓋に一体に取り付けられた塗布部材を備えた塗布軸とからなる液体化粧料の収納容器において、前記容器本体の開口部に、柔軟な材質の合成樹脂で形成した、鍔部を備えた扱き体を装着し、該扱き体を介して合成樹脂製の口部材を容器本体に形成されたアンダーカット部に嵌着するとともに、容器本体及び口部材の対向する面に形成した軸方向の突条部を嵌合させてなることを特徴とする。
【０００９】
この場合において、口部材に設けたインナーリング、アウターリング及びインナーリングとアウターリング間に形成された水平面によって、容器本体の開口部及び扱き体を、軸方向及び周方向で挟持するようにすることができる。
【００１０】
また、金属製の容器本体に、平均肉厚が０．２〜０．４ｍｍのアルミニウム又はアルミニウム合金製のインパクト成形されたものを用いることができる。
【００１１】
口部材を、ポリオレフィン系樹脂で形成することができる。
【００１２】
また、扱き体を、ＮＢＲで形成することができる。
【考案の効果】
【００１３】
本考案の液体化粧料の収納容器によれば、金属製の容器本体と、合成樹脂製の口部材及び扱き体と、該口部材を介して容器本体に装着される蓋と、該蓋に一体に取り付けられた塗布部材を備えた塗布軸とからなる液体化粧料の収納容器において、前記容器本体の開口部に、柔軟な材質の合成樹脂で形成した、鍔部を備えた扱き体を装着し、該扱き体を介して合成樹脂製の口部材を容器本体に形成されたアンダーカット部に嵌着するとともに、容器本体及び口部材の対向する面に形成した軸方向の突条部を嵌合させてなることにより、容器本体のねじ部を省略できることによって、成形装置及び成形工程が簡易になり、容器本体のコストを低減しながら、柔軟な材質の合成樹脂で形成した、鍔部を備えた扱き体によって、金属製の容器本体と口部材との間のシール性を確保して、液体化粧料が漏れ出たり、液体化粧料に含まれる揮発性物質が蒸散して液体化粧料が変性することがないようにすることができる。
また、口部材を容器本体に、抜け止めかつ回動不可能な状態に簡易に装着することができる。
さらに、口部材に蓋を装着することができ、かつ、扱き体によって塗布部材を備えた塗布軸に付着した余分な液体化粧料を扱き取ることができるようにするという、口部材及び扱き体に必要とされる機能を十分発揮することができる。
【００１４】
この場合において、口部材に設けたインナーリング、アウターリング及びインナーリングとアウターリング間に形成された水平面によって、容器本体の開口部及び扱き体を、軸方向及び周方向で挟持するようにすることにより、金属製の容器本体と口部材との間のシール性を、軸方向及び周方向の両方で確保することができる。
【００１５】
また、金属製の容器本体に、平均肉厚が０．２〜０．４ｍｍのアルミニウム又はアルミニウム合金製のインパクト成形されたものを用いることにより、容器本体のコストを低減することができる。
【００１６】
口部材を、ポリオレフィン系樹脂で形成することにより、口部材に蓋を確実に装着することができる。
【００１７】
また、扱き体を、ＮＢＲで形成することにより、扱き体によって塗布部材を備えた塗布軸に付着した余分な液体化粧料を確実に扱き取ることができる。
【図面の簡単な説明】
【００１８】
【図１】本考案の液体化粧料の収納容器の一実施例を示し、（ａ）は全体正面図、（ｂ）は要部断面図である。
【図２】同液体化粧料の収納容器の口部材を示し、（ａ）は全体正面図、（ｂ）は要部断面図である。
【考案を実施するための形態】
【００１９】
以下、本考案の液体化粧料の収納容器の実施の形態を、図面に基づいて説明する。
【００２０】
図１〜図２に、本考案の液体化粧料の収納容器の一実施例を示す。
この液体化粧料の収納容器は、金属製の容器本体１と、合成樹脂製の口部材２及び扱き体３と、口部材２を介して容器本体１に装着される蓋４と、蓋４に一体に取り付けられた塗布部材６を備えた塗布軸５とからなり、容器本体１の開口部１１に、柔軟な材質の合成樹脂で形成した、鍔部３２を備えた扱き体３を装着し、扱き体３を介して合成樹脂製の口部材２を容器本体１に形成されたアンダーカット部１３に嵌着するとともに、容器本体１及び口部材２の対向する面に形成した軸方向の突条部（縦リブ）１４、２５を嵌合させるようにしている。
【００２１】
この場合において、金属製の容器本体１は、有底筒状のもので、開口部１１の近傍域を小径部１２に形成するとともに、小径部１２に円周状のアンダーカット部１３及び軸方向の突条部（縦リブ）１４を形成するようにしている。
そして、金属製の容器本体１は、金属製の板材をプレス成形したもの、より具体的には、平均肉厚が０．２〜０．４ｍｍのアルミニウム又はアルミニウム合金製のインパクト成形した基体に、アンダーカット部１３及び突条部（縦リブ）１４を備えた小径部１２を、絞り加工、扱き加工、ロール加工等の任意の加工方法によって形成し、開口部１１の端面を、切削等の任意の加工方法によって整えるようにしている。
これにより、容器本体１のコストを低減することができる。
【００２２】
また、口部材２は、蓋４を装着するためのねじ部を備えた蓋装着部２１、インナーリング２２、アウターリング２３、インナーリング２２とアウターリング２３間に形成された水平面２４、アウターリング２３の内周面に円周状に形成された容器本体１のアンダーカット部１３に嵌入される突条部２５及びアウターリング２３の内周面に等角度間隔に複数箇所（例えば、８箇所）に縦方向に形成された容器本体１の小径部１２の外周面に形成された軸方向の突条部（縦リブ）１４と嵌合する突条部（縦リブ）２６を設けるようにしている。
そして、口部材２は、ポリオレフィン系樹脂、より具体的には、ポリプロピレン樹脂で形成することができる。
これにより、口部材２を容器本体１に、抜け止めかつ回動不可能な状態に簡易に装着することができるとともに、口部材２に蓋４を確実に装着することができる。
【００２３】
また、扱き体３は、塗布部材６を備えた塗布軸５の扱き部３１及び鍔部３２を設けるようにしている。
そして、扱き体３は、ＮＢＲで形成することができる。
ここで、扱き体３の扱き部３１の塗布軸５を挿通する孔は、孔の内径を塗布軸５を直径より若干小さく設定するようにする。
また、扱き体３の扱き部３１は、それ自体の有する弾性力によって塗布部材６を備えた塗布軸５を扱くようにすることができるが、さらに、本実施例においては、容器本体１に形成されたアンダーカット部１３の内周面に当接することよって、塗布部材６を備えた塗布軸５の扱き力を付加されるようにしている。
これにより、扱き体３の扱き部３１によって塗布部材６を備えた塗布軸５に付着した余分な液体化粧料を確実に扱き取ることができる。
【００２４】
この液体化粧料の収納容器は、容器本体１のねじ部を省略できることによって、成形装置及び成形工程が簡易になり、容器本体１のコストを低減しながら、柔軟な材質の合成樹脂で形成した、鍔部３２を備えた扱き体３によって、より具体的には、インナーリング２２、アウターリング２３及びインナーリング２２とアウターリング２３間に形成された水平面２４によって、容器本体１の開口部１１及び扱き体３を、軸方向及び周方向で挟持することができ、特に、成形精度を高めることが困難で、また、肉厚が薄く変形しやすい金属製の容器本体１であっても、金属製の容器本体１と口部材２との間のシール性を、軸方向（水平面２４、扱き体３の鍔部３２及び容器本体１の開口部１１の端面の間）及び周方向（インナーリング２２、扱き体３、容器本体１及びアウターリング２３の開口部１１の間）の両方で確保することができ、液体化粧料が漏れ出たり、液体化粧料に含まれる揮発性物質が蒸散して液体化粧料が変性することがないようにすることができる。
また、口部材２を容器本体１に、抜け止めかつ回動不可能な状態に簡易に装着することができる。
さらに、口部材２に蓋４を装着することができ、かつ、扱き体３によって塗布部材６を備えた塗布軸５に付着した余分な液体化粧料を扱き取ることができるようにするという、口部材２及び扱き体３に必要とされる機能を十分発揮することができる。
【００２５】
また、金属製の容器本体に、平均肉厚が０．２〜０．４ｍｍのアルミニウム又はアルミニウム合金製のインパクト成形されたものを用いることにより、容器本体のコストを低減することができる。
【００２６】
以上、本考案の液体化粧料の収納容器について、その実施例に基づいて説明したが、本考案は上記実施例に記載した構成に限定されるものではなく、その趣旨を逸脱しない範囲において適宜その構成を変更することができるものである。
【産業上の利用可能性】
【００２７】
本考案の液体化粧料の収納容器は、容器本体のねじ部を省略することを前提とし、液体化粧料が漏れ出たり、液体化粧料に含まれる揮発性物質が蒸散して液体化粧料が変性することがなく、口部材と扱き体に必要とされる機能を十分発揮できるものであることから、マスカラ、アイライナー、マニキュア等の液体化粧料の収納容器の用途に好適に用いることができる。
【符号の説明】
【００２８】
１    容器本体
１１  開口部
１２  小径部
１３  アンダーカット部
１４  突条部（縦リブ）
２    口部材
２５  突条部
２６  突条部（縦リブ）
３    扱き体
３１  扱き部
３２  鍔部
４    蓋
５    塗布軸
６    塗布部材
【図１】
0003151193.tif 000003
【図２】
0003151193.tif 000004